(57)【要約】【課題】利用者の利用したいテナント名が判明していない場合であっても、入力されたキーワードと関連付けられたテナントに関する階床における位置情報を表示させる。【解決手段】キーワード毎に、キーワードのカテゴリに属する商品、商品を扱う店舗の存在する階床、及び店舗の階床における位置情報を含む店舗情報が対応して記憶された店舗情報ＤＢ１Ｂと、キーワードが入力されたか否かを判定し、キーワードが入力されたと判定した場合、店舗情報ＤＢ１Ｂをキーワードをキーとして検索し、該当する店舗情報を読出し、読出した店舗情報を表示させ、店舗情報の表示後、読出された店舗の存在する階床への乗場登録を行う制御部１Ｅと、読出された店舗情報を表示する表示部１Ｆとを備えて構成する。【選択図】    図１
2004277019.tif 000002
【特許請求の範囲】
【請求項１】
利用者の操作により入力手段から入力されたキーワードと関連付けられたテナントの情報を表示し、当該表示したテナントの中から前記利用者に選択されたテナントの存在する階床を登録するための階床登録装置であって、
前記キーワード毎に、前記キーワードのカテゴリに属する商品又はサービス、前記商品又はサービスを扱うテナントの存在する階床、及び前記テナントの階床における位置情報を少なくとも含むテナント情報が対応して記憶されたテナント情報記憶手段と、
前記キーワードが前記入力手段から入力された場合、前記テナント情報記憶手段に記憶されたテナント情報の中から、前記キーワードに対応するテナント情報を検索するテナント情報検索手段と、
前記テナント情報検索手段により検索されたテナント情報を表示するテナント情報表示手段と、
前記テナント情報表示手段によるテナント情報の表示後、表示されたテナント情報の中から、前記利用者に選択されたテナントの存在する階床の登録を受け付ける登録受付手段と
を備えた階床登録装置。
【請求項２】
利用者の操作により入力手段から入力されたキーワードと関連付けられたテナントの情報を表示し、当該表示したテナントの中から前記利用者に選択されたテナントの存在する階床を登録するための階床登録装置であって、
前記キーワード毎に、前記キーワードのカテゴリに属する商品又はサービス、前記商品又はサービスを扱うテナントの存在する階床、及び前記テナントの階床における位置情報を少なくとも含むテナント情報が対応して記憶されたテナント情報記憶手段と、
前記キーワードが前記入力手段から入力された場合、前記テナント情報記憶手段に記憶されたテナント情報の中から、前記キーワードに対応するテナント情報を検索するテナント情報検索手段と、
前記テナント情報検索手段により検索されたテナント情報のうち、入力されたキーワードと同一のカテゴリーに属する商品又はサービスと、前記商品又はサービスを扱うテナントの存在する階床との組を表示するカテゴリー表示手段と、
前記カテゴリー表示手段による表示後、前記利用者から選択された前記商品又はサービスを扱うテナントの存在する階床の登録を受け付ける登録受付手段と
を備えた階床登録装置。
【請求項３】
請求項１又は請求項２に記載の階床登録装置において、
前記テナント情報表示手段によるテナント情報の表示後、前記テナント情報を印刷手段から印刷させるテナント情報印刷制御手段を付加した階床登録装置。
【請求項４】
請求項１乃至請求項３の何れか１項に記載の階床登録装置において、
外部から入力されたテナント情報を前記テナント情報記憶手段に更新記憶させるテナント情報更新記憶手段を更に付加した階床登録装置。
【請求項５】
請求項１乃至請求項４の何れか１項に記載の階床登録装置において、
前記キーワードが入力されたか否かを判定する入力判定手段を付加した階床登録装置。
【発明の詳細な説明】
【０００１】
【発明の属する技術分野】
本発明は、入力されたキーワードと関連付けられたテナントの情報を表示させると共に、当該テナントの存在する階床の登録を行うための階床登録装置に関する。
【０００２】
【従来の技術】
従来、エレベータホールに設けられる階床登録装置としては、利用者に利用したいテナント名を入力させ、当該入力させたテナント名が存在している階床を表示させることが出来る階床登録装置が知られている（特許文献１参照）。
【０００３】
【特許文献１】
特開平１１−１３９７０４号公報
【０００４】
【発明が解決しようとする課題】
しかしながら、この種の階床登録装置では、利用者の利用したいテナント名が予め判明している場合には問題がないが、特に初めて訪れたビル等の場合に、利用者が全ての階床に存在しているテナント名を知っていることは稀である。
【０００５】
このため、利用者がビル内の利用したいテナントを探すのに必要以上に長時間を要するという問題がある。
【０００６】
また、各階床にテナントに関する案内板等が設けられていない場合、利用者がビル内で利用したいテナントの場所がわからず、迷子になってしまう可能性もある。
【０００７】
そこで本発明は、上記事情に考慮してなされたもので、利用者の利用したいテナント名が判明していない場合であっても、入力されたキーワードと関連付けられたテナントに関する階床における位置情報を表示させることを可能とする階床登録装置を提供することを目的とする。
【０００８】
【課題を解決するための手段】
本発明の骨子は、キーワード毎に、テナント名と、テナントの階床における位置情報とを対応付けた構成により、入力されたキーワードと関連付けられたテナントに関する階床における位置情報を表示させるという効果を達成することにある。
【０００９】
さて、以上のような本発明の骨子は、具体的には以下のような手段を講じることにより実現される。
【００１０】
第１の発明は、利用者の操作により入力手段から入力されたキーワードと関連付けられたテナントの情報を表示し、当該表示したテナントの中から利用者に選択されたテナントの存在する階床を登録するための階床登録装置であって、キーワード毎に、キーワードのカテゴリに属する商品又はサービス、商品又はサービスを扱うテナントの存在する階床、及びテナントの階床における位置情報を少なくとも含むテナント情報が対応して記憶されたテナント情報記憶手段と、キーワードが入力手段から入力された場合、テナント情報記憶手段に記憶されたテナント情報の中から、キーワードに対応するテナント情報を検索するテナント情報検索手段と、テナント情報検索手段により検索されたテナント情報を表示するテナント情報表示手段と、テナント情報表示手段によるテナント情報の表示後、表示されたテナント情報の中から、利用者に選択されたテナントの存在する階床の登録を受け付ける登録受付手段とを備えた階床登録装置である。
【００１１】
なお、本明細書に記載の「テナント」とは、ビル等の建造物に入居している店舗、会社、事務所、病院、各種の商品を扱う売り場、及びトイレ、休養室、託児所等の設備を包含する。
【００１２】
また、本明細書に記載の「テナント情報」とは、テナントを特定するための情報をいい、少なくともキーワードのカテゴリに属する商品又はサービス、商品又はサービスを扱うテナントの存在する階床、テナントの階床における位置情報、及びテナント名を包含する。
【００１３】
なお、本明細書に記載の商品又はサービスには、テナントの業種やビル内の設備の種別を包含してもよいものとする。
【００１４】
これにより、キーワードが入力手段から入力された場合、テナント情報検索手段により、キーワード毎に、キーワードのカテゴリに属する商品又はサービス、商品又はサービスを扱うテナントの存在する階床、及びテナントの階床における位置情報を少なくとも含むテナント情報が対応して記憶されたテナント情報記憶手段に記憶されたテナント情報の中から、キーワードに対応するテナント情報が検索され、テナント情報検索手段により検索されたテナント情報がテナント情報表示手段により表示され、テナント情報の表示後、登録受付手段により表示されたテナント情報の中から、利用者に選択されたテナントの存在する階床の登録が受け付けられるので、利用者の利用したいテナント名が判明していない場合であっても、入力されたキーワードと関連付けられたテナントに関する階床における位置情報を表示させることが出来る。
【００１５】
第２の発明は、利用者の操作により入力手段から入力されたキーワードと関連付けられたテナントの情報を表示し、当該表示したテナントの中から利用者に選択されたテナントの存在する階床を登録するための階床登録装置であって、キーワード毎に、キーワードのカテゴリに属する商品又はサービス、商品又はサービスを扱うテナントの存在する階床、及びテナントの階床における位置情報を少なくとも含むテナント情報が対応して記憶されたテナント情報記憶手段と、キーワードが入力手段から入力された場合、テナント情報記憶手段に記憶されたテナント情報の中から、キーワードに対応するテナント情報を検索するテナント情報検索手段と、テナント情報検索手段により検索されたテナント情報のうち、入力されたキーワードと同一のカテゴリーに属する商品又はサービスと、商品又はサービスを扱うテナントの存在する階床との組を表示するカテゴリー表示手段と、カテゴリー表示手段による表示後、利用者から選択された商品又はサービスを扱うテナントの存在する階床の登録を受け付ける登録受付手段とを備えた階床登録装置である。
【００１６】
これにより、キーワードが入力手段から入力された場合、テナント情報検索手段によりキーワード毎に、キーワードのカテゴリに属する商品又はサービス、商品又はサービスを扱うテナントの存在する階床、及びテナントの階床における位置情報を少なくとも含むテナント情報が対応して記憶されたテナント情報記憶手段に記憶されたテナント情報の中から、キーワードに対応するテナント情報が検索され、検索されたテナント情報のうち、入力されたキーワードと同一のカテゴリーに属する商品又はサービスと、商品又はサービスを扱うテナントの存在する階床との組がカテゴリー表示手段により表示され、カテゴリー表示手段による表示後、登録受付手段により利用者から選択された商品又はサービスを扱うテナントの存在する階床の登録が受け付けられるので、第１の発明と同様の効果に得られるだけでなく、利用者がテナント名が正確に分からない場合であっても、キーワードを入力することによって、簡単に検索ができ、かつ、迅速に目的とする階床を登録することが出来る。
【００１７】
第３の発明は、第１又は第２の発明の階床登録装置において、テナント情報表示手段によるテナント情報の表示後、テナント情報を印刷手段から印刷させるテナント情報印刷制御手段を付加した階床登録装置である。
【００１８】
これにより、第１の発明と同様の作用を奏することが出来るのに加え、表示されたテナント情報が印刷されるので、表示されたテナント情報を利用者が覚えきれない場合等にも利用者のテナント情報の備忘防止に貢献することが出来る。
【００１９】
第４の発明は、第１の発明の請求項１乃至請求項３の何れか１項に記載の階床登録装置において、外部から入力されたテナント情報を前記テナント情報記憶手段に更新記憶させるテナント情報更新記憶手段を更に付加したことを特徴とする階床登録装置である。
【００２０】
これにより、第１の発明と同様の作用を奏することが出来るのに加え、テナント情報をテナント情報記憶手段に更新記憶するので、テナント名等のテナント情報が変更になった場合に、迅速に対応することが出来る。
【００２１】
第５の発明は、第１乃至第４の何れか１つの発明の階床登録装置において、キーワードが入力されたか否かを判定する入力判定手段を付加した階床登録装置である。
【００２２】
これにより、第１の発明と同様の作用を奏することが出来る。
【００２３】
【発明の実施の形態】
以下、本発明の一実施の形態について図面を参照して説明する。
【００２４】
図１は、本発明の一実施の形態に係る階床登録装置の構成例を示す模式図である。
【００２５】
本発明の一実施の形態に係る階床登録装置１は、利用者の操作によって入力されたキーワードと関連付けられた店舗の位置情報を表示すると共に、表示された店舗情報に基づいてなされた登録の登録データをエレベータ機械室又は昇降路内等に設けられたエレベータ制御盤に出力させるための装置である。
【００２６】
本発明の一実施の形態に係る階床登録装置１は、画面ファイル記憶部１Ａと、店舗情報ＤＢ１Ｂ（テナント情報記憶手段）と、入力部１Ｃと、通信インターフェース１Ｄと、制御部１Ｅと、表示部１Ｆと、印字出力部１Ｇと、登録データ出力部１Ｈとから構成される。
【００２７】
画面ファイル記憶部１Ａには、利用者にキーワードを入力させるための入力画面のファイルが記憶されている。
【００２８】
店舗情報ＤＢ１Ｂには、キーワード、キーワードのカテゴリに属する商品、商品を扱う店舗の存在する階床、店舗の階床における位置情報、及び店舗名が対応して記憶されている。
【００２９】
図２は、本発明の一実施の形態に係る階床登録装置１の店舗情報ＤＢ１Ｂに記憶されているデータの一例を示す模式図である。
【００３０】
この店舗情報ＤＢ１Ｂには、図２に示すように、キーワード（２Ａ）、キーワードと同一カテゴリの商品（２Ｂ）、階床（２Ｃ）、階床における位置情報としての階床における位置座標（２Ｄ）、店舗名（２Ｅ）、及び営業時間（２Ｆ）が対応して記憶されている。
【００３１】
なお、本実施の形態の店舗情報ＤＢ１Ｂには、キーワードと同一カテゴリの商品が記憶されているが、商品を扱う店舗だけでなく、会社の事務所等を登録可能とする観点から、「店舗」を「テナント」と、「商品」を「業種」又は「提供サービス」とそれぞれ読み替えてもよい。
【００３２】
入力部１Ｃは、利用者の操作によってキーワード及び階床の登録を行うための登録要求の入力がなされるものである。
【００３３】
なお、本発明の一実施の形態に係る階床登録装置１では、入力部１Ｃとしては、表示部１Ｆの表面に設置されたタッチパネルとしたが、これに限らず、表示部１Ｆの周縁部に設けられた押し釦に変更してもよいことはいうまでもないし、音声によりキーワードを入力する機能を有するものに変更してもよい。
【００３４】
通信インターフェース１Ｄは、外部から送信された店舗情報の書換え要求と店舗情報との組を受信する機能と、受信した店舗情報の書換え要求と店舗情報との組を制御部１Ｅに出力する機能とを有する。
【００３５】
なお、本実施の形態に係る階床登録装置１に、外部から送信された店舗情報の書換え要求と店舗情報との組を送信する送信経路としては、例えば、電話回線、専用回線、又は光ファイバ等が挙げられる。
【００３６】
制御部１Ｅは、予め定められたプログラムに基づいて動作し、起動時に画面ファイル記憶部１Ａから入力画面のファイルを読出し、読出したファイルを表示部１Ｆに表示させる機能と、キーワードが入力されたか否かを判定する機能と、当該判定の結果、キーワードが入力されたと判定した場合に、入力されたキーワードをキーとして店舗情報ＤＢ１Ｂを検索し、当該検索の結果として該当する店舗情報を表示部１Ｆに表示させる機能と、登録要求があるか否かを判定する機能と、当該判定の結果、登録要求があると判定した場合、入力された登録要求を受け取り、受け取った登録要求に基づいて、選択された店舗の存在する階床の登録を行う機能と、登録を行った登録データを、登録データ出力部１Ｈに出力する機能と、印刷要求があるか否かを判定する機能と、当該判定の結果、印刷要求があると判定した場合に、入力された印刷要求とを受け取り、表示された情報を印字出力部１Ｇに印刷させる機能と、通信インターフェース１Ｄを介して店舗情報の書換え要求と店舗情報との組を受け取ったか否かにより、店舗情報の書換え要求があるか否かを判定する機能と、当該判定の結果、店舗情報の書換え要求があると判定した場合、受け取った店舗情報を店舗情報ＤＢ１Ｂに更新記憶させる機能（テナント情報更新記憶手段）とを有する。
【００３７】
なお、本発明の一実施の形態に係る制御部１Ｅは、通信インターフェース１Ｄを介して店舗情報の書換え要求と店舗情報との組を受け取ったか否かにより、店舗情報の書換え要求があるか否かを判定する機能と、当該判定の結果、店舗情報の書換え要求があると判定した場合、受け取った店舗情報を店舗情報ＤＢ１Ｂに更新記憶させる機能を有していたが、これらの機能は制御部１Ｅの機能として付加しなくてもよいことはいうまでもない。
【００３８】
この場合、階床登録装置１は、通信インターフェース１Ｄを設けない構成とする。
【００３９】
また、本発明の一実施の形態に係る階床登録装置１の制御部１Ｅは、入力されたキーワードを受け取り、当該受け取ったキーワードをキーとして店舗情報ＤＢ１Ｂを検索する機能と、当該検索の結果として、キーワードと同一カテゴリーの商品と、商品を取り扱う店舗の存在する階床との組を読出す機能と、読出した商品と、商品を取り扱う店舗の存在する階床を表示部１Ｆに表示させる機能と、当該店舗情報の表示後に、利用者によって入力部１Ｃから入力された乗場登録を行うための登録要求に基づいて、店舗の存在する階床の登録を行う機能とを付加してもよいことはいうまでもない。
【００４０】
表示部１Ｆは、制御部１Ｅから出力された店舗情報を含む各画面のデータを表示する機能を有している。
【００４１】
印字出力部１Ｇは、制御部１Ｅから出力された店舗情報を含む画面のデータを印刷する機能を有する。
【００４２】
登録データ出力部１Ｈは、制御部１Ｅから出力された登録データを図示しないエレベータ制御盤に出力する機能を有する。
【００４３】
次に、以上のように構成された階床登録装置１の動作に関し、図面を参照して説明する。
【００４４】
図３は、本発明の一実施の形態に係る階床登録装置１の制御部１Ｅの動作を説明するためのフローチャートである。
【００４５】
始めに、起動時に、制御部１Ｅは、画面ファイル記憶部１Ａに予め記憶されたキーワードの入力を促すための入力画面のファイルを読出し（ＳＴ１）、読出したファイルを表示部１Ｆに表示させる（ＳＴ２）。
【００４６】
図４は、本発明の一実施の形態に係る入力画面４の一例を示す模式図である。
【００４７】
この入力画面４上には、ひらがなの五十音の一覧（４Ａ）と、アルファベットの一覧（４Ｂ）と、０〜９までの数字の一覧（４Ｃ）と、入力情報を確定させることを意味する「決定」（４Ｄ）と、入力済みの一文字を削除させる操作を意味する「一文字削除」（４Ｅ）と、入力済みの文字列を全て削除することを意味する「全文字削除」（４Ｆ）と、ひらがなを撥音に変換するか又はアルファベットを小文字に変換することを意味する「小文字」（４Ｇ）と、入力したひらがなを漢字に変換することを意味する「漢字変換」（４Ｈ）と、入力されたキーワードを表示する欄（４Ｉ）とが設けられている。
【００４８】
なお、本実施の形態に係る表示部１Ｆの周縁には、行き先ごとの各階床に対する登録を行うための行き先登録釦を別途設けてもよいことはいうまでもない。
【００４９】
工程ＳＴ３では、制御部１Ｅは、キーワードを受け取ったか否かによって、この入力画面から利用者の操作によってキーワードが入力されたか否かを判定する。
【００５０】
制御部１Ｅは、この工程ＳＴ３でキーワードが入力されたと判定した場合（ＳＴ３：Ｙｅｓ）、入力されたキーワードをキーとして店舗情報ＤＢ１Ｂを検索する（ＳＴ４：テナント情報検索手段）。
【００５１】
一方、制御部１Ｅは、前述した工程ＳＴ３でキーワードが入力されていないと判定した場合（ＳＴ３：Ｎｏ）、キーワードが入力されたか否かを判定する判定処理を続ける。
【００５２】
工程ＳＴ５では、制御部１Ｅは、前述した工程ＳＴ４における検索の結果としてキーワードと関連付けられた店舗情報を、店舗情報ＤＢ１Ｂから読出す。
【００５３】
次に、制御部１Ｅは、店舗情報ＤＢ１Ｂから読出した店舗情報を表示部１Ｆに表示させる（ＳＴ６）。
【００５４】
これにより、表示部１Ｆには、図５に示すような店舗情報を表示する店舗情報表示画面が表示される（テナント情報表示手段）。
【００５５】
図５は、本発明の一実施の形態に係る店舗情報表示画面５の一例を示す模式図である。
【００５６】
この店舗情報表示画面５上には、各階床における商品の売り場とエレベータとの相対位置の関係（５Ａ）と、階床の登録を行うか否かの選択情報（５Ｂ）と、各階床における商品の売り場とエレベータとの相対位置の関係を印刷するか否かを示す選択情報（５Ｃ）とが設けられている。
【００５７】
なお、本実施の形態に係る表示部の周縁には、行き先ごとの各階床に対する登録を行うための行き先登録釦を別途設けてもよいことはいうまでもない。
【００５８】
なお、本実施の形態では、制御部１Ｅは、検索の結果得られた店舗情報のうち、キーワードと関連付けられた店舗の階床における位置情報を表示させていたが、これに限らず、入力されたキーワードのカテゴリーに属する店舗の存在する階床を表示するカテゴリー情報表示画面を表示させてもよいことはいうまでもない。
【００５９】
この場合、前述した工程ＳＴ５に代えて、前述した工程ＳＴ４における検索の結果として、キーワードと同一カテゴリーの商品と、商品を取り扱う店舗の存在する階床との組を読出す工程と、読出した商品と、商品を取り扱う店舗の存在する階床を表示部１Ｆに表示させる工程と、当該店舗情報の表示後に、利用者によって入力部１Ｃから入力された乗場登録を行うための登録要求に基づいて、店舗の存在する階床の登録を行う工程（登録手段）に置換するものとする。これにより、カテゴリ情報表示画面が表示部１Ｆに表示される（カテゴリ表示手段）。
【００６０】
図６は、このようなカテゴリー情報表示画面６の一例を示す模式図である。
【００６１】
このカテゴリー情報表示画面６上には、入力されたキーワードである「靴」のカテゴリーに属する商品である「運動靴」、「子供靴」、「紳士靴」、及び「婦人靴」の一覧と各商品を取り扱う店舗の存在する階床との組（６Ａ）と、登録を確定したことを示す「決定」という表示（６Ｂ）と、前述した入力画面４に戻ることを示す「戻る」という表示（６Ｃ）と、このカテゴリー情報表示画面６上でカーソル（６Ｄ）を移動させるための矢印の表示（６Ｅ）と、入力されたキーワードを表示する欄（６Ｆ）とが設けられている。
【００６２】
なお、本実施の形態に係る表示部１Ｆの周縁には、行き先ごとの各階床に対する登録を行うための行き先登録釦を別途設けてもよいことはいうまでもない。
【００６３】
工程ＳＴ７では、制御部１Ｅは、印刷要求を受け取ったか否かにより、利用者からの印刷要求があるか否かを判定する。
【００６４】
制御部１Ｅは、この工程ＳＴ７で印刷要求があると判定した場合、表示された画面のデータを印字出力部１Ｇに印刷させる（ＳＴ８：テナント情報印刷制御手段）。
【００６５】
これにより、印字出力部１Ｇは、表示された画面に含まれるテナント情報を印刷する。
【００６６】
一方、制御部１Ｅは、前述した工程ＳＴ７で印刷要求がないと判定した場合（ＳＴ７：Ｎｏ）、後述の工程ＳＴ９に移行する。
【００６７】
工程ＳＴ９では、制御部１Ｅは、利用者によって階床の登録がなされたことを示す登録要求を受け取ったか否かによって、利用者によって階床の登録がなされたか否かを判定する。
【００６８】
制御部１Ｅは、この工程ＳＴ９で階床の登録がなされたと判定した場合（ＳＴ９：Ｙｅｓ）、利用者によって登録がなされた階床の登録を行う（ＳＴ１０：登録手段）。
【００６９】
次に、制御部１Ｅは、登録済みの登録データを、登録データ出力部１Ｈを介して図示しないエレベータ制御盤に送信する（ＳＴ１１）。
【００７０】
一方、制御部１Ｅは、前述した工程ＳＴ９で階床の登録がなされていないと判定した場合（ＳＴ９：Ｎｏ）、前述した工程ＳＴ１に戻る。
【００７１】
以上のような一連の処理により、階床登録装置１は、動作を終了する。
【００７２】
上述したように本実施の形態によれば、制御部１Ｅによりキーワードが入力されたか否かが判定され、キーワードが入力されたと判定された場合、キーワード毎に、キーワードのカテゴリに属する商品、商品を扱う店舗の存在する階床、及び店舗の階床における位置情報を少なくとも含む店舗情報が対応して記憶された店舗情報ＤＢ１Ｂがキーワードをキーとして検索され、該当する店舗情報が読出され、読出された店舗情報が表示部１Ｆに表示され、店舗情報の表示後、読出された店舗の存在する階床への乗場登録が行われるので、利用者の利用したい店舗名が判明していない場合であっても、入力されたキーワードと関連付けられた店舗に関する階床における位置情報を表示させることが出来る。
【００７３】
なお、上記各実施の形態に記載した手法は、コンピュータに実行させることの出来るプログラムとして、磁気ディスク（フレキスブルディスク、ハードディスクなど）、光ディスク（ＣＤ−ＲＯＭ、ＤＶＤなど）、光磁気ディスク（ＭＯ）、半導体メモリなどの記憶媒体に格納して頒布することが出来る。
【００７４】
なお、上記一実施の形態に記載した手法を実現するプログラムは、通信ネットワーク、例えばインターネットやイントラネットを介して送信することによって提供することも出来る。
【００７５】
この通信ネットワークを介したプログラムの提供方法としては、例えば、ＡＳＰ（Ａｐｐｌｉｃａｔｉｏｎ  Ｓｅｒｖｉｃｅ  Ｐｒｏｖｉｄｅｒ）によるものを包含する。
【００７６】
また、プログラムは、上記の機能を実現するものであれば、例えば、Ｃ（登録商標）、Ｃ＋＋（登録商標）、又はＪＡＶＡ（登録商標）等、どのようなプログラミング言語で記載されたものであっても良い。
【００７７】
なお、本発明は、上記一実施の形態に限定されるものでなく、実施段階ではその要旨を逸脱しない範囲で、種々に変形することが可能である。
【００７８】
さらに、上記一実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【００７９】
その他、本発明は、その要旨を逸脱しない範囲で種々変形して実施出来る。
【００８０】
【発明の効果】
以上詳記したように本発明によれば、利用者の利用したい店舗名が判明していない場合であっても、入力されたキーワードと関連付けられた店舗に関する階床における位置情報を表示させることが可能な階床登録装置を提供出来る。
【図面の簡単な説明】
【図１】本発明の一実施の形態に係る階床登録装置１の構成例を示す模式図である。
【図２】本発明の一実施の形態に係る階床登録装置１の店舗情報ＤＢ１Ｂに記憶されているデータの一例を示す模式図。
【図３】本発明の一実施の形態に係る階床登録装置１の制御部１Ｅの動作を説明するためのフローチャート。
【図４】本発明の一実施の形態に係る入力画面４の一例を示す模式図。
【図５】本発明の一実施の形態に係る店舗情報表示画面５の一例を示す模式図。
【図６】本発明の一実施の形態に係るカテゴリー情報表示画面６の一例を示す模式図。
【符号の説明】
１…階床登録装置、１Ａ…画面ファイル記憶部、１Ｂ…店舗情報ＤＢ、１Ｃ…入力部、１Ｄ…通信インターフェース、１Ｅ…制御部、１Ｆ…表示部、１Ｇ…印字出力部、１Ｈ…登録データ出力部、
【図１】
2004277019.tif 000003
【図２】
2004277019.tif 000004
【図３】
2004277019.tif 000005
【図４】
2004277019.tif 000006
【図５】
2004277019.tif 000007
【図６】
2004277019.tif 000008